(57)【特許請求の範囲】
【請求項１】
アクティブノイズリダクションヘッドセットに電力を供給するための方法であって、前記アクティブノイズリダクションヘッドセットが端末に接続され、当該方法が、
前記アクティブノイズリダクションヘッドセットによって、前記端末により送信された第１の電圧の信号を受信するステップと、
前記アクティブノイズリダクションヘッドセットによって、前記第１の電圧の前記信号を処理して第２の電圧の信号を獲得するステップであって、前記第２の電圧が前記第１の電圧よりも小さい、ステップとを含み、
前記第２の電圧の前記信号が、前記アクティブノイズリダクションヘッドセットのノイズリダクションチップに送信され、それによって前記アクティブノイズリダクションヘッドセットの前記ノイズリダクションチップが、前記第２の電圧の前記信号を取得してノイズリダクション機能を実施し、
前記端末により送信された第１の電圧の信号を受信する前記ステップが、
前記アクティブノイズリダクションヘッドセットによって、前記アクティブノイズリダクションヘッドセットのマイクロフォンケーブルを使用することによって、前記マイクロフォンケーブルが音声信号により占有されていない場合に前記端末により送信された前記第１の電圧の前記信号を受信するステップを含む、方法。
【請求項２】
前記第１の電圧の前記信号を処理して第２の電圧の信号を獲得する前記ステップが、
前記アクティブノイズリダクションヘッドセットによって、前記第１の電圧の前記信号を処理して第３の電圧の信号を獲得するステップであって、前記第３の電圧が前記第１の電圧よりも小さく、
前記第３の電圧の前記信号が前記アクティブノイズリダクションヘッドセットの充電式バッテリに送信され、それによって前記充電式バッテリが前記第３の電圧の前記信号を格納する、ステップと、
前記アクティブノイズリダクションヘッドセットによって、前記第３の電圧の前記信号を処理して前記第２の電圧の前記信号を獲得するステップであって、前記第３の電圧が前記第２の電圧よりも大きい、ステップとを含む、請求項１に記載の方法。
【請求項３】
前記端末により送信された第１の電圧の信号を受信する前記ステップの後に、当該方法が、
前記アクティブノイズリダクションヘッドセットによって、前記アクティブノイズリダクションヘッドセットの前記マイクロフォンケーブルを使用することによって、ユーザによりトリガされたトリガ信号を受信するステップと、
前記アクティブノイズリダクションヘッドセットによって、前記アクティブノイズリダクションヘッドセットの前記マイクロフォンケーブルを使用することによって、前記トリガ信号を前記端末に送信し、それによって前記端末が、前記トリガ信号に従って前記端末の送信信号を中断するか又は切り換えるステップであって、前記送信信号が前記端末によって前記アクティブノイズリダクションヘッドセットに送信されるデータ信号又は音声信号である、ステップとを更に含む、請求項１又は２に記載の方法。
【請求項４】
アクティブノイズリダクションヘッドセットに電力を供給するための方法であって、前記アクティブノイズリダクションヘッドセットが端末に接続され、当該方法が、
前記端末によって、前記端末の電源によって提供された電源電圧の信号を取得するステップと、
前記端末によって、前記端末の前記電源電圧の前記信号を処理して第１の電圧の信号を獲得するステップであって、前記電源電圧が前記第１の電圧よりも小さい、ステップと、
前記アクティブノイズリダクションヘッドセットのマイクロフォンケーブルを使用することによって、前記マイクロフォンケーブルが音声信号により占有されていない場合に、前記端末によって、前記第１の電圧の前記信号を前記アクティブノイズリダクションヘッドセットに送信し、それによって前記アクティブノイズリダクションヘッドセットが、前記第１の電圧の前記信号を処理して第２の電圧の信号を獲得するステップであって、前記第２の電圧の前記信号が、前記アクティブノイズリダクションヘッドセットのノイズリダクションチップに送信され、それによって前記アクティブノイズリダクションヘッドセットの前記ノイズリダクションチップが、前記第２の電圧の前記信号を取得してノイズリダクション機能を実施し、前記第２の電圧が前記第１の電圧よりも小さい、ステップとを含む、方法。
【請求項５】
前記第１の電圧の前記信号を前記アクティブノイズリダクションヘッドセットに送信する前記ステップの後に、当該方法が、
前記端末によって、前記アクティブノイズリダクションヘッドセットのマイクロフォンケーブルにより送信されたトリガ信号を受信するステップであって、前記トリガ信号がトリガリングを用いてユーザによって生成される、ステップと、
前記端末によって、前記トリガ信号に従って前記端末の送信信号を中断するか又は切り換えるステップであって、前記送信信号が前記端末によって前記アクティブノイズリダクションヘッドセットに送信されるデータ信号又は音声信号である、ステップとを更に含む、請求項４に記載の方法。
【請求項６】
アクティブノイズリダクションヘッドセットであって、当該アクティブノイズリダクションヘッドセットが端末に接続され、当該アクティブノイズリダクションヘッドセットが、
前記端末により送信された第１の電圧の信号を受信するように構成されている受信機回路と、
前記第１の電圧の前記信号を処理して第２の電圧の信号を獲得し、前記第２の電圧が前記第１の電圧よりも小さい、ように構成されている降圧回路とを含み、
前記第２の電圧の前記信号が、当該アクティブノイズリダクションヘッドセットのノイズリダクションチップに送信され、それによって当該アクティブノイズリダクションヘッドセットの前記ノイズリダクションチップが、前記第２の電圧の前記信号を取得してノイズリダクション機能を実施し、
前記受信機回路が、
当該アクティブノイズリダクションヘッドセットのマイクロフォンケーブルを使用することによって、前記マイクロフォンケーブルが音声信号により占有されていない場合に前記端末により送信された前記第１の電圧の前記信号を受信するように構成されている、アクティブノイズリダクションヘッドセット。
【請求項７】
前記降圧回路が、
前記第１の電圧の前記信号を処理して第３の電圧の信号を獲得し、前記第３の電圧が前記第１の電圧よりも小さく、
前記第３の電圧の前記信号が当該アクティブノイズリダクションヘッドセットの充電式バッテリに送信され、それによって前記充電式バッテリが前記第３の電圧の前記信号を格納する、ように構成されている第１の処理回路と、
前記第３の電圧の前記信号を処理して前記第２の電圧の前記信号を獲得し、前記第３の電圧が前記第２の電圧よりも大きい、ように構成されている第２の処理回路とを含む、請求項６に記載のアクティブノイズリダクションヘッドセット。
【請求項８】
前記降圧回路が、
降圧チップを含み、前記降圧チップの入力端が、当該アクティブノイズリダクションヘッドセットの前記マイクロフォンケーブルに接続されており、前記降圧チップの出力端が、当該アクティブノイズリダクションヘッドセットの前記ノイズリダクションチップの入力端に接続されている、請求項６に記載のアクティブノイズリダクションヘッドセット。
【請求項９】
前記第１の処理回路が、充電チップを含み、前記第２の処理回路が、降圧チップを含み、
前記充電チップの入力端が、当該アクティブノイズリダクションヘッドセットの前記マイクロフォンケーブルに接続されており、前記充電式バッテリの一方の端部が、前記充電チップの出力端及び前記降圧チップの入力端に別々に接続されており、前記充電式バッテリの他方の端部が、接地されており、前記降圧チップの出力端が、当該アクティブノイズリダクションヘッドセットの前記ノイズリダクションチップの入力端に接続されている、請求項７に記載のアクティブノイズリダクションヘッドセット。
【請求項１０】
前記受信機回路が、当該アクティブノイズリダクションヘッドセットの前記マイクロフォンケーブルを使用することによって、ユーザによりトリガされたトリガ信号を受信するように更に構成されており、
当該アクティブノイズリダクションヘッドセットが、
当該アクティブノイズリダクションヘッドセットの前記マイクロフォンケーブルを使用することによって、前記トリガ信号を前記端末に送信し、それによって前記端末が、前記トリガ信号に従って前記端末の送信信号を中断するか又は切り換え、前記送信信号が前記端末によって当該アクティブノイズリダクションヘッドセットに送信されるデータ信号又は音声信号である、ように構成されているトリガ回路を更に含む、請求項６又は７に記載のアクティブノイズリダクションヘッドセット。
【請求項１１】
前記トリガ回路が、
ボタンスイッチ及び抵抗器Ｒ１を含み、前記抵抗器Ｒ１の一方の端部が、接地されており、前記抵抗器Ｒ１の他方の端部が、前記ボタンスイッチに直列に接続されており、前記ボタンスイッチが、当該アクティブノイズリダクションヘッドセットの前記マイクロフォンケーブルに接続されており、前記ユーザが当該アクティブノイズリダクションヘッドセットをトリガしているということを示すトリガ信号が、当該アクティブノイズリダクションヘッドセットの前記マイクロフォンケーブルを使用することによって受信されたときに、前記ボタンスイッチ及び前記抵抗器Ｒ１が導通される、請求項１０に記載のアクティブノイズリダクションヘッドセット。
【請求項１２】
端末であって、当該端末がアクティブノイズリダクションヘッドセットに接続され、当該端末が、
当該端末に電源電圧を提供するように構成されている電源と、
当該端末の前記電源電圧の信号を処理して第１の電圧の信号を獲得し、前記電源電圧が前記第１の電圧よりも小さい、ように構成されている昇圧回路とを含み、
前記昇圧回路が、前記アクティブノイズリダクションヘッドセットのマイクロフォンケーブルを使用することによって、前記マイクロフォンケーブルが音声信号により占有されていない場合に、前記第１の電圧の前記信号を前記アクティブノイズリダクションヘッドセットに送信し、それによって前記アクティブノイズリダクションヘッドセットが、前記第１の電圧の前記信号を処理して第２の電圧の信号を獲得し、前記第２の電圧の前記信号が、前記アクティブノイズリダクションヘッドセットのノイズリダクションチップに送信され、それによって前記アクティブノイズリダクションヘッドセットの前記ノイズリダクションチップが、前記第２の電圧の前記信号を取得してノイズリダクション機能を実施し、前記第２の電圧が前記第１の電圧よりも小さい、ように更に構成されている、端末。
【請求項１３】
前記昇圧回路が、
昇圧チップを含み、前記昇圧チップの入力端が、当該端末の前記電源の出力端に接続されており、前記昇圧チップの出力端が、前記アクティブノイズリダクションヘッドセットのマイクロフォンケーブルに接続されている、請求項１２に記載の端末。
【請求項１４】
当該端末が、
前記アクティブノイズリダクションヘッドセットの前記マイクロフォンケーブルにより送信されたトリガ信号を受信し、前記トリガ信号がトリガリングを用いてユーザによって生成される、ように構成されているトリガ回路を更に含み、
前記トリガ回路が、前記トリガ信号に従って当該端末の送信信号を中断するか又は切り換え、前記送信信号が当該端末によって前記アクティブノイズリダクションヘッドセットに送信されるデータ信号又は音声信号である、ように更に構成されている、請求項１３に記載の端末。
【請求項１５】
前記トリガ回路が、
抵抗器Ｒ２及びコンパレータを含み、
前記抵抗器Ｒ２の一方の端部が、前記昇圧チップの前記出力端及び前記コンパレータの第１の入力端に別々に接続されており、前記抵抗器Ｒ２の他方の端部が、前記アクティブノイズリダクションヘッドセットの前記マイクロフォンケーブル及び前記コンパレータの第２の入力端に別々に接続されている、請求項１４に記載の端末。
【請求項１６】
請求項６から１１のいずれか一項に記載のアクティブノイズリダクションヘッドセットと、請求項１２から１５のいずれか一項に記載の端末とを含む電力供給システムであって、
前記端末が、前記端末の電源によって提供された電源電圧の信号を取得し、前記端末の前記電源電圧の前記信号を処理して第１の電圧の信号を獲得し、前記電源電圧が前記第１の電圧よりも小さく、前記第１の電圧の前記信号を前記アクティブノイズリダクションヘッドセットに送信し、それによって前記アクティブノイズリダクションヘッドセットが、前記第１の電圧の前記信号を処理して第２の電圧の信号を獲得し、前記第２の電圧の前記信号が、前記アクティブノイズリダクションヘッドセットのノイズリダクションチップに送信され、それによって前記アクティブノイズリダクションヘッドセットの前記ノイズリダクションチップが、前記第２の電圧の前記信号を取得してノイズリダクション機能を実施し、前記第２の電圧が前記第１の電圧よりも小さい、ように構成されており、
前記アクティブノイズリダクションヘッドセットが、前記端末により送信された前記第１の電圧の前記信号を受信し、前記第１の電圧の前記信号を処理して前記第２の電圧の前記信号を獲得し、前記第２の電圧が前記第１の電圧よりも小さく、前記第２の電圧の前記信号が、前記アクティブノイズリダクションヘッドセットの前記ノイズリダクションチップに送信され、それによって前記アクティブノイズリダクションヘッドセットの前記ノイズリダクションチップが、前記第２の電圧の前記信号を取得してノイズリダクション機能を実施する、ように構成されている、電力供給システム。
【発明の詳細な説明】
【技術分野】
【０００１】
本発明は、電子製品の分野に関し、詳細には、アクティブノイズリダクションヘッドセットに電力を供給するための方法、装置、及びシステムに関する。
【背景技術】
【０００２】
電子技術の発展に伴って、電子製品の機能は、ますます強力になっている。アクティブノイズリダクションヘッドセットは、ノイズリダクションチップを使用することによって、ノイズに等しい逆音波を生成し、ノイズの逆音波を使用することによってノイズを中和し、それによってノイズリダクション効果が達成される。アクティブノイズリダクションヘッドセットは、オーディオ受信機、ノイズリダクションチップ、及びオーディオ出力ユニットを含む。ノイズリダクションチップは、オーディオ受信機及びオーディオ出力ユニットに別々に接続されており、オーディオ受信機は、小型マイクロフォンであることが可能であり、オーディオ出力ユニットは、ラウドスピーカであることが可能である。第１のオーディオ入力信号がノイズ信号であり、オーディオ受信機が第１のオーディオ入力信号を受信して第１のオーディオ入力信号をノイズリダクションチップに出力した後に、ノイズリダクションチップは、第２のオーディオ入力信号を生成し、第２のオーディオ入力信号及び第１のオーディオ入力信号は、同じ振幅及び逆位相を有していると想定される。次いでノイズリダクションチップは、第２のオーディオ入力信号をオーディオ出力ユニットに出力し、オーディオ出力ユニットは、第２のオーディオ入力信号を出力し、それによって第１のオーディオ入力信号は、弱められるか又は無効にされ、それによって、アクティブノイズリダクションヘッドセットによってノイズを遮蔽するという目的を達成する。ノイズリダクションチップが、受信された第１のオーディオ入力信号を弱めるか又は無効にする場合には、電力がノイズリダクションチップに供給される必要がある。
【０００３】
従来技術においては、リチウムイオンバッテリがアクティブノイズリダクションヘッドセット内に配置されることが可能であり、リチウムイオンバッテリは、ノイズリダクションチップに電力を供給する。加えて、リチウムイオンバッテリを充電するために提供されている充電器は、アクティブノイズリダクションヘッドセット用に構成されている。ノイズリダクションチップが、比較的長い時間にわたって機能する場合には、リチウムイオンバッテリも、それに従って比較的長い時間の中でノイズリダクションチップに電力を供給する必要があり、リチウムイオンバッテリの電力が切れた場合には、充電器はリチウムイオンバッテリを充電する必要があり、それによってリチウムイオンバッテリは、ノイズリダクションチップに電力を供給する。したがって、アクティブノイズリダクションヘッドセットの電力供給オペレーションは、高度に複雑である。
【発明の概要】
【０００４】
本発明の実施形態は、アクティブノイズリダクションヘッドセットの電力供給オペレーションが高度に複雑であるという問題を解決するために、アクティブノイズリダクションヘッドセットに電力を供給するための方法、装置、及びシステムを提供する。
【０００５】
前述の目的を達成するために、下記の技術的な解決法が、本発明の実施形態において使用される。
【０００６】
第１の態様によれば、アクティブノイズリダクションヘッドセットに電力を供給するための方法が提供され、アクティブノイズリダクションヘッドセットは端末に接続され、方法は、
アクティブノイズリダクションヘッドセットによって、端末により送信された第１の電圧の信号を受信するステップと、
アクティブノイズリダクションヘッドセットによって、第１の電圧の信号を処理して第２の電圧の信号を獲得するステップであって、第２の電圧が第１の電圧よりも小さい、ステップとを含み、
第２の電圧の信号は、アクティブノイズリダクションヘッドセットのノイズリダクションチップに送信され、それによってアクティブノイズリダクションヘッドセットのノイズリダクションチップは、第２の電圧の信号を取得してノイズリダクション機能を実施する。
【０００７】
第１の態様に関連して、第１の可能な実施様式において、端末により送信された第１の電圧の信号を受信するステップは、
アクティブノイズリダクションヘッドセットによって、アクティブノイズリダクションヘッドセットのマイクロフォンケーブルを使用することによって、端末により送信された第１の電圧の信号を受信するステップを含む。
【０００８】
第１の可能な実施様式に関連して、第２の可能な実施様式において、第１の電圧の信号を処理して第２の電圧の信号を獲得するステップは、
アクティブノイズリダクションヘッドセットによって、第１の電圧の信号を処理して第３の電圧の信号を獲得するステップであって、第３の電圧が第１の電圧よりも小さく、
第３の電圧の信号がアクティブノイズリダクションヘッドセットの充電式バッテリに送信され、それによって充電式バッテリが第３の電圧の信号を格納する、ステップと、
アクティブノイズリダクションヘッドセットによって、第３の電圧の信号を処理して第２の電圧の信号を獲得するステップであって、第３の電圧が第２の電圧よりも大きい、ステップとを含む。
【０００９】
第１又は第２の可能な実施様式に関連して、第３の可能な実施様式において、端末により送信された第１の電圧の信号を受信するステップの後に、方法は、
アクティブノイズリダクションヘッドセットによって、アクティブノイズリダクションヘッドセットのマイクロフォンケーブルを使用することによって、ユーザによりトリガされたトリガ信号を受信するステップと、
アクティブノイズリダクションヘッドセットによって、アクティブノイズリダクションヘッドセットのマイクロフォンケーブルを使用することによって、トリガ信号を端末に送信し、それによって端末が、トリガ信号に従って端末の送信信号を中断するか又は切り換えるステップであって、送信信号が端末によってアクティブノイズリダクションヘッドセットに送信されるデータ信号又は音声信号である、ステップとを更に含む。
【００１０】
第２の態様によれば、アクティブノイズリダクションヘッドセットに電力を供給するための方法が提供され、アクティブノイズリダクションヘッドセットは端末に接続され、方法は、
端末によって、端末の電源によって提供された電源電圧の信号を取得するステップと、
端末によって、端末の電源電圧の信号を処理して第１の電圧の信号を獲得するステップであって、電源電圧が第１の電圧よりも小さい、ステップと、
端末によって、第１の電圧の信号をアクティブノイズリダクションヘッドセットに送信し、それによってアクティブノイズリダクションヘッドセットが、第１の電圧の信号を処理して第２の電圧の信号を獲得するステップであって、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施し、第２の電圧が第１の電圧よりも小さい、ステップとを含む。
【００１１】
第２の態様に関連して、第１の可能な実施様式において、第１の電圧の信号をアクティブノイズリダクションヘッドセットに送信するステップの後に、方法は、
端末によって、アクティブノイズリダクションヘッドセットのマイクロフォンケーブルにより送信されたトリガ信号を受信するステップであって、トリガ信号がトリガリングを用いてユーザによって生成される、ステップと、
端末によって、トリガ信号に従って端末の送信信号を中断するか又は切り換えるステップであって、送信信号が端末によってアクティブノイズリダクションヘッドセットに送信されるデータ信号又は音声信号である、ステップとを更に含む。
【００１２】
第３の態様によれば、アクティブノイズリダクションヘッドセットが提供され、アクティブノイズリダクションヘッドセットは端末に接続され、アクティブノイズリダクションヘッドセットは、
端末により送信された第１の電圧の信号を受信するように構成されている受信機回路と、
第１の電圧の信号を処理して第２の電圧の信号を獲得し、第２の電圧が第１の電圧よりも小さい、ように構成されている降圧回路とを含み、
第２の電圧の信号は、アクティブノイズリダクションヘッドセットのノイズリダクションチップに送信され、それによってアクティブノイズリダクションヘッドセットのノイズリダクションチップは、第２の電圧の信号を取得してノイズリダクション機能を実施する。
【００１３】
第３の態様に関連して、第１の可能な実施様式において、受信機回路は、
アクティブノイズリダクションヘッドセットのマイクロフォンケーブルを使用することによって、端末により送信された第１の電圧の信号を受信するように特に構成されている。
【００１４】
第１の可能な実施様式に関連して、第２の可能な実施様式において、降圧回路は、
第１の電圧の信号を処理して第３の電圧の信号を獲得し、第３の電圧が第１の電圧よりも小さく
第３の電圧の信号がアクティブノイズリダクションヘッドセットの充電式バッテリに送信され、それによって充電式バッテリが第３の電圧の信号を格納する、ように構成されている第１の処理回路と、
第３の電圧の信号を処理して第２の電圧の信号を獲得し、第３の電圧が第２の電圧よりも大きい、ように構成されている第２の処理回路とを含む。
【００１５】
第１の可能な実施様式に関連して、第３の可能な実施様式において、降圧回路は、
降圧チップを含み、降圧チップの入力端は、アクティブノイズリダクションヘッドセットのマイクロフォンケーブルに接続されており、降圧チップの出力端は、アクティブノイズリダクションヘッドセットのノイズリダクションチップの入力端に接続されている。
【００１６】
第２の可能な実施様式に関連して、第４の可能な実施様式において、
第１の処理回路は、充電チップを含み、第２の処理回路は、降圧チップを含み、
充電チップの入力端は、アクティブノイズリダクションヘッドセットのマイクロフォンケーブルに接続されており、充電式バッテリの一方の端部は、充電チップの出力端及び降圧チップの入力端に別々に接続されており、充電式バッテリの他方の端部は、接地されており、降圧チップの出力端は、アクティブノイズリダクションヘッドセットのノイズリダクションチップの入力端に接続されている。
【００１７】
第１又は第２の可能な実施様式に関連して、第５の可能な実施様式において、
受信機回路は、アクティブノイズリダクションヘッドセットのマイクロフォンケーブルを使用することによって、ユーザによりトリガされたトリガ信号を受信するように更に構成されており、
アクティブノイズリダクションヘッドセットは、
アクティブノイズリダクションヘッドセットのマイクロフォンケーブルを使用することによって、トリガ信号を端末に送信し、それによって端末が、トリガ信号に従って端末の送信信号を中断するか又は切り換え、送信信号が端末によってアクティブノイズリダクションヘッドセットに送信されるデータ信号又は音声信号である、ように構成されているトリガ回路を更に含む、
【００１８】
第５の可能な実施様式に関連して、第６の可能な実施様式において、トリガ回路は、
ボタンスイッチ及び抵抗器Ｒ１を含み、抵抗器Ｒ１の一方の端部は、接地されており、抵抗器Ｒ１の他方の端部は、ボタンスイッチに直列に接続されており、ボタンスイッチは、アクティブノイズリダクションヘッドセットのマイクロフォンケーブルに接続されており、ユーザがアクティブノイズリダクションヘッドセットをトリガしているということを示すトリガ信号が、アクティブノイズリダクションヘッドセットのマイクロフォンケーブルを使用することによって受信されたときに、ボタンスイッチ及び抵抗器Ｒ１は導通される。
【００１９】
第４の態様によれば、端末が提供され、端末はアクティブノイズリダクションヘッドセットに接続され、端末は、
端末に電源電圧を提供するように構成されている電源と、
端末の電源電圧の信号を処理して第１の電圧の信号を獲得し、電源電圧が第１の電圧よりも小さい、ように構成されている昇圧回路とを含み、
昇圧回路は、第１の電圧の信号をアクティブノイズリダクションヘッドセットに送信し、それによってアクティブノイズリダクションヘッドセットが、第１の電圧の信号を処理して第２の電圧の信号を獲得し、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施し、第２の電圧が第１の電圧よりも小さい、ように更に構成されている。
【００２０】
第４の態様に関連して、第１の可能な実施様式において、昇圧回路は、
昇圧チップを含み、昇圧チップの入力端は、端末の電源の出力端に接続されており、昇圧チップの出力端は、アクティブノイズリダクションヘッドセットのマイクロフォンケーブルに接続されている。
【００２１】
第１の可能な実施様式に関連して、第２の可能な実施様式において、端末は、
アクティブノイズリダクションヘッドセットのマイクロフォンケーブルにより送信されたトリガ信号を受信し、トリガ信号がトリガリングを用いてユーザによって生成される、ように構成されているトリガ回路を更に含み、
トリガ回路は、トリガ信号に従って端末の送信信号を中断するか又は切り換え、送信信号が端末によってアクティブノイズリダクションヘッドセットに送信されるデータ信号又は音声信号である、ように更に構成されている。
【００２２】
第２の可能な実施様式に関連して、第３の可能な実施様式において、トリガ回路は、
抵抗器Ｒ２及びコンパレータを含み、
抵抗器Ｒ２の一方の端部は、昇圧チップの出力端及びコンパレータの第１の入力端に別々に接続されており、抵抗器Ｒ２の他方の端部は、アクティブノイズリダクションヘッドセットのマイクロフォンケーブル及びコンパレータの第２の入力端に別々に接続されている。
【００２３】
第５の態様によれば、上述のいずれかのアクティブノイズリダクションヘッドセットと、上述のいずれかの端末とを含む電力供給システムが提供され、
端末は、端末の電源によって提供された電源電圧の信号を取得し、端末の電源電圧の信号を処理して第１の電圧の信号を獲得し、電源電圧が第１の電圧よりも小さく、第１の電圧の信号をアクティブノイズリダクションヘッドセットに送信し、それによってアクティブノイズリダクションヘッドセットが、第１の電圧の信号を処理して第２の電圧の信号を獲得し、第２の電圧の信号がアクティブノイズリダクションヘッドセットのノイズリダクションチップに送信され、それによってアクティブノイズリダクションヘッドセットのノイズリダクションチップが、第２の電圧の信号を取得してノイズリダクション機能を実施し、第２の電圧が第１の電圧よりも小さい、ように構成されており、
アクティブノイズリダクションヘッドセットは、端末により送信された第１の電圧の信号を受信し、第１の電圧の信号を処理して第２の電圧の信号を獲得し、第２の電圧が第１の電圧よりも小さく、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施する、ように構成されている。
【００２４】
本発明の実施形態は、アクティブノイズリダクションヘッドセットに電力を供給するための方法、装置、及びシステムを提供し、アクティブノイズリダクションヘッドセットに電力を供給するための方法は、アクティブノイズリダクションヘッドセットによって、端末により送信された第１の電圧の信号を受信するステップと、アクティブノイズリダクションヘッドセットによって、第１の電圧の信号を処理して第２の電圧の信号を獲得するステップであって、第２の電圧が第１の電圧よりも小さい、ステップとを含み、第２の電圧の信号は、アクティブノイズリダクションヘッドセットのノイズリダクションチップに送信され、それによってアクティブノイズリダクションヘッドセットのノイズリダクションチップは、第２の電圧の信号を取得してノイズリダクション機能を実施する。この方法においては、アクティブノイズリダクションヘッドセットが端末に接続された後に、アクティブノイズリダクションヘッドセットは、端末により送信された第１の電圧の信号を受信し、次いで第１の電圧の信号を処理して第２の電圧の信号を獲得することができ、それによってアクティブノイズリダクションヘッドセットのノイズリダクションチップは、第２の電圧の信号を取得してノイズリダクション機能を実施し、したがって、アクティブノイズリダクションヘッドセットに接続されている端末は、アクティブノイズリダクションヘッドセットに電力を供給し、これは、アクティブノイズリダクションヘッドセットの電力供給オペレーションが高度に複雑であるという問題を効果的に解決することができる。
【００２５】
本発明の実施形態における技術的な解決法をより明確に説明するために、以降では、それらの実施形態を説明する上で必要とされる添付の図面を簡単に説明する。明らかに、以降の説明における添付の図面は、本発明のいくつかの実施形態を示しているにすぎず、当技術分野における標準的な技術者なら、それでもなお、創造的な取り組みを伴わずにこれらの添付の図面からその他の図面を導き出すことができる。
【図面の簡単な説明】
【００２６】
【図１】本発明の一実施形態による、アクティブノイズリダクションヘッドセットに電力を供給するための方法のフローチャートである。
【図２】本発明の一実施形態による、アクティブノイズリダクションヘッドセットに電力を供給するための別の方法のフローチャートである。
【図３】本発明の一実施形態による、アクティブノイズリダクションヘッドセットに電力を供給するための更に別の方法のフローチャートである。
【図４】本発明の一実施形態によるアクティブノイズリダクションヘッドセットの概略構造図である。
【図５】本発明の一実施形態による別のアクティブノイズリダクションヘッドセットの概略構造図である。
【図６】本発明の一実施形態による降圧回路の概略構造図である。
【図７】本発明の一実施形態による更に別のアクティブノイズリダクションヘッドセットの概略構造図である。
【図８】本発明の一実施形態による端末の概略構造図である。
【図９】本発明の一実施形態による別の端末の概略構造図である。
【図１０】本発明の一実施形態による携帯電話の概略構造図である。
【図１１】本発明の一実施形態による更に別のアクティブノイズリダクションヘッドセットの概略構造図である。
【図１２】本発明の一実施形態によるまた更に別のアクティブノイズリダクションヘッドセットの概略構造図である。
【図１３】本発明の一実施形態による別の携帯電話の概略構造図である。
【図１４】本発明の一実施形態による電力供給システムの概略構造図である。
【発明を実施するための形態】
【００２７】
以降では、本発明の実施形態における添付の図面を参照しながら、本発明の実施形態における技術的な解決法を明確に説明する。明らかに、説明されている実施形態は、本発明の実施形態のうちのいくつかにすぎず、すべてではない。当技術分野における標準的な技術者によって本発明の実施形態に基づいて創造的な取り組みを伴わずに得られるその他のすべての実施形態は、本発明の保護範囲に含まれるものとする。
【００２８】
本発明の一実施形態は、アクティブノイズリダクションヘッドセットに電力を供給するための方法を提供し、アクティブノイズリダクションヘッドセットは端末に接続される。図１において示されているように、方法は、下記のステップを含む。
【００２９】
ステップ１０１：アクティブノイズリダクションヘッドセットが、端末により送信された第１の電圧の信号を受信する。
【００３０】
端末により送信された第１の電圧の信号は、アクティブノイズリダクションヘッドセットのマイクロフォンケーブルを使用することによって受信されることが可能である。
【００３１】
ステップ１０２：アクティブノイズリダクションヘッドセットが、第１の電圧の信号を処理して第２の電圧の信号を獲得し、ここで、第２の電圧は第１の電圧よりも小さい。
【００３２】
アクティブノイズリダクションヘッドセットは、第１の電圧の信号を直接処理して第２の電圧の信号を獲得することができるか、又は最初に第１の電圧の信号を処理して第３の電圧の信号を獲得し、ここで、第３の電圧は第１の電圧よりも小さく、そして第３の電圧の信号はアクティブノイズリダクションヘッドセットの充電式バッテリに送信され、それによって充電式バッテリは第３の電圧の信号を格納し、アクティブノイズリダクションヘッドセットは、第３の電圧の信号を処理して第２の電圧の信号を獲得することができ、ここで、第３の電圧は第２の電圧よりも大きい。
【００３３】
ステップ１０３：第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施する。
【００３４】
この方法においては、アクティブノイズリダクションヘッドセットが端末に接続された後に、アクティブノイズリダクションヘッドセットは、端末により送信された第１の電圧の信号を受信し、次いで第１の電圧の信号を処理して第２の電圧の信号を獲得し、それによってアクティブノイズリダクションヘッドセットのノイズリダクションチップは、第２の電圧の信号を取得してノイズリダクション機能を実施することができ、したがって、アクティブノイズリダクションヘッドセットに接続されている端末は、アクティブノイズリダクションヘッドセットに電力を供給し、これは、アクティブノイズリダクションヘッドセットの電力供給オペレーションが高度に複雑であるという問題を効果的に解決することができる。
【００３５】
本発明の一実施形態は、アクティブノイズリダクションヘッドセットに電力を供給するための方法を提供し、アクティブノイズリダクションヘッドセットは端末に接続される。図２において示されているように、方法は、下記のステップを含む。
【００３６】
ステップ２０１：端末が、端末の電源によって提供された電源電圧の信号を取得する。
【００３７】
ステップ２０２：端末が、端末の電源電圧の信号を処理して第１の電圧の信号を獲得し、ここで、電源電圧は第１の電圧よりも小さい。
【００３８】
ステップ２０３：端末が、第１の電圧の信号をアクティブノイズリダクションヘッドセットに送信し、それによってアクティブノイズリダクションヘッドセットが、第１の電圧の信号を処理して第２の電圧の信号を獲得し、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施し、ここで、第２の電圧は第１の電圧よりも小さい。
【００３９】
この方法においては、アクティブノイズリダクションヘッドセットが端末に接続された後に、端末は、第１の電圧の信号をアクティブノイズリダクションヘッドセットに送信することができる。第１の電圧の信号を受信した後に、アクティブノイズリダクションヘッドセットは、第１の電圧の信号を処理して第２の電圧の信号を獲得し、それによってアクティブノイズリダクションヘッドセットのノイズリダクションチップは、第２の電圧の信号を取得してノイズリダクション機能を実施し、したがって、アクティブノイズリダクションヘッドセットに接続されている端末は、アクティブノイズリダクションヘッドセットに電力を供給し、これは、アクティブノイズリダクションヘッドセットの電力供給オペレーションが高度に複雑であるという問題を効果的に解決することができる。
【００４０】
本発明の一実施形態は、アクティブノイズリダクションヘッドセットに電力を供給するための方法を提供し、端末が携帯電話であると想定される。図３において示されているように、方法は、下記のステップを含む。
【００４１】
ステップ３０１：アクティブノイズリダクションヘッドセットが、携帯電話に接続される。
【００４２】
アクティブノイズリダクションヘッドセットのヘッドセットプラグが、携帯電話のヘッドセットジャック内に挿入され、それによってアクティブノイズリダクションヘッドセットは、携帯電話に接続される。
【００４３】
従来技術においては、ヘッドセットプラグのサイズは、４つのセグメントを伴って３．５ｍｍであることが可能である。図４において示されているように、ヘッドセットプラグのケーブルは、２つの接続方法を有することができ、第１の接続方法は、図４−ａにおいて示されており、左から右へ連続して、オーディオ左チャネルケーブル（Ｌ）１、オーディオ右チャネルケーブル（Ｒ）２、マイクロフォンケーブル（ＭＩＣ）３、及びグランドケーブル（ＧＮＤ）４である。第２の接続方法は、図４−ｂにおいて示されており、左から右へ連続して、オーディオ左チャネルケーブル（Ｌ）１、オーディオ右チャネルケーブル（Ｒ）２、グランドケーブル（ＧＮＤ）４、及びマイクロフォンケーブル（ＭＩＣ）３である。アクティブノイズリダクションヘッドセットが携帯電話に接続される際には、アクティブノイズリダクションヘッドセットのヘッドセットプラグのピンが、携帯電話のヘッドセットジャックのピンに適合しなければならず、それによって、アクティブノイズリダクションヘッドセットに接続されている携帯電話は、アクティブノイズリダクションヘッドセットに電力を供給する。
【００４４】
ステップ３０２：携帯電話が、携帯電話の電源電圧の信号を処理して第１の電圧の信号を獲得する。
【００４５】
携帯電話は、携帯電話の電源の電源電圧の電圧を増大させて第１の電圧の信号を獲得し、第１の電圧の信号は、携帯電話の出力電圧の信号である。一般的に、携帯電話の電源電圧は３．２Ｖ〜４．２Ｖにわたり、携帯電話の出力電圧は５Ｖである。
【００４６】
ステップ３０３：携帯電話が、第１の電圧の信号をアクティブノイズリダクションヘッドセットに送信する。
【００４７】
携帯電話は、アクティブノイズリダクションヘッドセットのマイクロフォンケーブルを使用することによって、第１の電圧の信号をアクティブノイズリダクションヘッドセットに送信する。
【００４８】
ステップ３０４：アクティブノイズリダクションヘッドセットが、携帯電話により送信された第１の電圧の信号を受信する。
【００４９】
アクティブノイズリダクションヘッドセットは、アクティブノイズリダクションヘッドセットのマイクロフォンケーブルを使用することによって、携帯電話により送信された第１の電圧の信号を受信する。
【００５０】
本発明によるアクティブノイズリダクションヘッドセットは、マイクロフォン機能を有するアクティブノイズリダクションヘッドセットである必要があり、すなわち、アクティブノイズリダクションヘッドセットは、マイクロフォンケーブルを有し、したがって、アクティブノイズリダクションヘッドセットのマイクロフォンケーブルは、アクティブノイズリダクションヘッドセットの電力ケーブルとして再利用され、携帯電話は、アクティブノイズリダクションヘッドセットのマイクロフォンケーブルを使用することによって、アクティブノイズリダクションヘッドセットに電力を供給するということに留意されたい。
【００５１】
ステップ３０５：アクティブノイズリダクションヘッドセットが、第１の電圧の信号を処理して第２の電圧の信号を獲得する。
【００５２】
アクティブノイズリダクションヘッドセットは、第１の電圧の信号を直接処理して第２の電圧の信号を獲得することができ、ここで、第２の電圧の信号は、アクティブノイズリダクションヘッドセットのノイズリダクションチップに送信されるとともに、第２の電圧は第１の電圧よりも小さい。
【００５３】
特に、最初に、アクティブノイズリダクションヘッドセットは、第１の電圧の信号を処理して第３の電圧の信号を獲得し、ここで、第３の電圧は第１の電圧よりも小さく、そして第３の電圧の信号はアクティブノイズリダクションヘッドセットの充電式バッテリ及び降圧チップに送信され、それによって充電式バッテリは第３の電圧の信号を格納し、降圧チップは、第３の電圧の信号を処理して第２の電圧の信号を獲得することができ、ここで、第３の電圧は第２の電圧よりも大きい。この方法においては、アクティブノイズリダクションヘッドセットが、アクティブノイズリダクションヘッドセットに電力を供給することができない携帯電話に再び接続された場合には、アクティブノイズリダクションヘッドセットは、アクティブノイズリダクションヘッドセットの充電式バッテリによって格納されている電気エネルギーを使用して、アクティブノイズリダクションヘッドセットに電力を供給することができるか、又はアクティブノイズリダクションヘッドセットのマイクロフォンケーブルが占有されている場合、すなわち、携帯電話が音声サービスの会話状態にある場合には、音声信号を受信した後に、アクティブノイズリダクションヘッドセットは、アクティブノイズリダクションヘッドセットのマイクロフォンケーブルを使用することによって、受信された音声信号を出力するとともに、アクティブノイズリダクションヘッドセットは、アクティブノイズリダクションヘッドセットの充電式バッテリによって格納されている電気エネルギーを使用して、アクティブノイズリダクションヘッドセットに電力を供給することができる。従来技術と比較すると、本発明において提供されるアクティブノイズリダクションヘッドセットは、電気エネルギーをリアルタイムで取得してノイズリダクション機能を実施することができ、これは、アクティブノイズリダクションヘッドセットへの電力供給のために頻繁にアクティブノイズリダクションヘッドセットの乾電池を交換することを回避することができる。
【００５４】
ステップ３０６：アクティブノイズリダクションヘッドセットが、第２の電圧の信号をアクティブノイズリダクションヘッドセットのノイズリダクションチップに送信する。
【００５５】
アクティブノイズリダクションヘッドセットのノイズリダクションチップは、第２の電圧の信号を取得してノイズリダクション機能を実施する。
【００５６】
特に、本発明のこの実施形態によれば、アクティブノイズリダクションヘッドセットのマイクロフォンケーブルは、アクティブノイズリダクションヘッドセットの電力ケーブルとして使用され、アクティブノイズリダクションヘッドセットのマイクロフォンケーブルが占有されていない場合は、アクティブノイズリダクションヘッドセットに接続されている携帯電話が、アクティブノイズリダクションヘッドセットに電力を供給することができる。任意選択で、アクティブノイズリダクションヘッドセットに接続されている携帯電話は、アクティブノイズリダクションヘッドセットの充電式バッテリを充電して、アクティブノイズリダクションヘッドセットに充電することができ、それによってアクティブノイズリダクションヘッドセットのノイズリダクションチップは、第２の電圧の信号を取得してノイズリダクション機能を実施する。
【００５７】
アクティブノイズリダクションヘッドセットのマイクロフォンケーブルが占有されている場合は、アクティブノイズリダクションヘッドセットは、アクティブノイズリダクションヘッドセットの充電式バッテリによって格納されている第３の電圧の信号を使用することができ、アクティブノイズリダクションヘッドセットの充電式バッテリによって格納されている電気エネルギーを使用することによって、アクティブノイズリダクションヘッドセットに電力が供給され、それによってアクティブノイズリダクションヘッドセットのノイズリダクションチップは、第２の電圧の信号を取得してノイズリダクション機能を実施する。
【００５８】
アクティブノイズリダクションヘッドセットのマイクロフォンケーブルが占有されているケースにおいては、たとえば、携帯電話が音声サービスの会話状態にある場合には、アクティブノイズリダクションヘッドセットのマイクロフォンがユーザの音声信号を受信した後に、音声信号が、アクティブノイズリダクションヘッドセットのマイクロフォンケーブルを使用することによって出力されることに起因して、アクティブノイズリダクションヘッドセットのマイクロフォンケーブルは占有されており、アクティブノイズリダクションヘッドセットのマイクロフォンケーブルが占有されていないケースにおいては、たとえば、携帯電話がスタンバイ状態にある場合、又は音声サービスの会話状態にない場合にユーザがアクティブノイズリダクションヘッドセットのマイクロフォンを使用していないケースにおいては、ということに留意されたい。
【００５９】
ステップ３０７：アクティブノイズリダクションヘッドセットが、ユーザによりトリガされたトリガ信号を受信する。
【００６０】
ユーザは、アクティブノイズリダクションヘッドセットに配置されている応答ボタン又は切り換えボタンを押すことができ、アクティブノイズリダクションヘッドセットは、アクティブノイズリダクションヘッドセットのマイクロフォンケーブルを使用することによって、ユーザによりトリガされたトリガ信号を受信する。たとえば、ユーザは、アクティブノイズリダクションヘッドセットに配置されている曲切り換えボタンを押すことができ、アクティブノイズリダクションヘッドセットは、アクティブノイズリダクションヘッドセットのマイクロフォンケーブルを使用することによって、ユーザによりトリガされたトリガ信号を受信する。
【００６１】
ステップ３０８：アクティブノイズリダクションヘッドセットが、トリガ信号を携帯電話に送信する。
【００６２】
アクティブノイズリダクションヘッドセットは、アクティブノイズリダクションヘッドセットのマイクロフォンケーブルを使用することによって、トリガ信号を携帯電話に送信する。
【００６３】
ステップ３０９：携帯電話が、トリガ信号を受信する。
【００６４】
携帯電話は、アクティブノイズリダクションヘッドセットのマイクロフォンケーブルを使用することによって、トリガ信号を受信する。
【００６５】
ステップ３０１０：携帯電話が、トリガ信号に従って携帯電話の送信信号を中断するか又は切り換える。
【００６６】
携帯電話は、トリガ信号に従って携帯電話の送信信号を中断するか又は切り換え、それらは、携帯電話の送信信号を一時停止すること又は終了することを含むが、それらには限定されず、送信信号は、携帯電話によってアクティブノイズリダクションヘッドセットに送信されるデータ信号又は音声信号である。
【００６７】
たとえば、携帯電話が曲若しくはビデオなどのマルチメディアファイルを再生しているときに、ユーザが、アクティブノイズリダクションヘッドセットに配置されている応答ボタンを押した場合には、アクティブノイズリダクションヘッドセットは、アクティブノイズリダクションヘッドセットのマイクロフォンケーブルを使用することによって、ユーザによりトリガされたトリガ信号を受信し、次いでトリガ信号を携帯電話に送信し、携帯電話は、受信されたトリガ信号に従って、再生されている曲若しくはビデオを一時停止若しくは停止することができるか、又は携帯電話が曲若しくはビデオなどのマルチメディアファイルを再生しているときに、ユーザが、アクティブノイズリダクションヘッドセットに配置されている切り換えボタンを押した場合には、アクティブノイズリダクションヘッドセットは、アクティブノイズリダクションヘッドセットのマイクロフォンケーブルを使用することによって、ユーザによりトリガされたトリガ信号を受信し、次いでトリガ信号を携帯電話に送信し、携帯電話は、受信されたトリガ信号に従って、再生されている曲若しくはビデオを切り換えることができるか、又は携帯電話がスタンバイ状態で呼び出し信号を受信したときに、ユーザが、アクティブノイズリダクションヘッドセットに配置されている応答ボタンを押した場合には、アクティブノイズリダクションヘッドセットは、アクティブノイズリダクションヘッドセットのマイクロフォンケーブルを使用することによって、ユーザによりトリガされたトリガ信号を受信し、次いでトリガ信号を携帯電話に送信し、携帯電話は、受信されたトリガ信号に従って着信に応答することができるか、又は携帯電話が会話状態で音声信号を送信しているときに、ユーザが、アクティブノイズリダクションヘッドセットに配置されている応答ボタンを押した場合には、アクティブノイズリダクションヘッドセットは、アクティブノイズリダクションヘッドセットのマイクロフォンケーブルを使用することによって、ユーザによりトリガされたトリガ信号を受信し、次いでトリガ信号を携帯電話に送信し、携帯電話は、受信されたトリガ信号に従って会話を中断することができ、切り換えボタン及び応答ボタンは、同じボタンか又は２つのボタンであることが可能である。
【００６８】
任意選択で、ユーザは、携帯電話の仮想ボタン又は物理ボタンを更にトリガすることができる。トリガ信号を受信した後に、携帯電話は、トリガ信号に従って携帯電話の送信信号を中断するか又は切り換えることができ、それらは、携帯電話の送信信号を一時停止すること又は終了することを含むが、それらには限定されず、送信信号は、携帯電話によってアクティブノイズリダクションヘッドセットに送信されるデータ信号又は音声信号である。
【００６９】
ステップ３０７〜３０１０は、更に任意選択である。
【００７０】
本発明のこの実施形態において提供される、アクティブノイズリダクションヘッドセットに電力を供給するための方法によれば、アクティブノイズリダクションヘッドセットが携帯電話に接続された後に、最初に、携帯電話は、携帯電話の電源電圧の信号を処理して第１の電圧の信号を獲得し、第１の電圧の信号をアクティブノイズリダクションヘッドセットに送信し、次いでアクティブノイズリダクションヘッドセットは、携帯電話により送信された第１の電圧の信号を受信し、第１の電圧の信号を処理して第２の電圧の信号を獲得し、第２の電圧の信号をアクティブノイズリダクションヘッドセットのノイズリダクションチップに送信し、それによってアクティブノイズリダクションヘッドセットのノイズリダクションチップは、第２の電圧の信号を取得してノイズリダクション機能を実施する。アクティブノイズリダクションヘッドセットは、アクティブノイズリダクションヘッドセットのボタン上でユーザによりトリガされたトリガ信号を更に受信することができ、トリガ信号を携帯電話に送信する。トリガ信号を受信した後に、携帯電話は、トリガ信号に従って携帯電話の送信信号を中断するか若しくは切り換えるか、又は携帯電話上でユーザによりトリガされたトリガ信号を受信した後に、携帯電話は、トリガ信号に従って携帯電話の送信信号を中断するか若しくは切り換える。従来技術と比較すると、アクティブノイズリダクションヘッドセットに接続されている携帯電話は、アクティブノイズリダクションヘッドセットに電力を供給することができ、それによってアクティブノイズリダクションヘッドセットのノイズリダクションチップは、ノイズリダクション機能を実施し、これは、アクティブノイズリダクションヘッドセットの電力供給オペレーションが高度に複雑であるという問題を効果的に解決することができる。
【００７１】
本発明の一実施形態は、アクティブノイズリダクションヘッドセット４０を提供し、このアクティブノイズリダクションヘッドセットは端末に接続される。図５において示されているように、アクティブノイズリダクションヘッドセット４０は、
端末により送信された第１の電圧の信号を受信するように構成されている受信機回路４０１と、
第１の電圧の信号を処理して第２の電圧の信号を獲得し、第２の電圧が第１の電圧よりも小さい、ように構成されている降圧回路４０２とを含む。
【００７２】
第２の電圧の信号は、アクティブノイズリダクションヘッドセットのノイズリダクションチップに送信され、それによってアクティブノイズリダクションヘッドセットのノイズリダクションチップは、第２の電圧の信号を取得してノイズリダクション機能を実施する。
【００７３】
この方法においては、アクティブノイズリダクションヘッドセットが端末に接続された後に、アクティブノイズリダクションヘッドセットは、端末により送信された第１の電圧の信号を受信し、次いで第１の電圧の信号を処理して第２の電圧の信号を獲得し、それによってアクティブノイズリダクションヘッドセットのノイズリダクションチップは、第２の電圧の信号を取得してノイズリダクション機能を実施することができ、したがって、アクティブノイズリダクションヘッドセットに接続されている端末は、アクティブノイズリダクションヘッドセットに電力を供給し、これは、アクティブノイズリダクションヘッドセットの電力供給オペレーションが高度に複雑であるという問題を効果的に解決することができる。
【００７４】
受信機回路４０１は、
アクティブノイズリダクションヘッドセットのマイクロフォンケーブルを使用することによって、端末により送信された第１の電圧の信号を受信するように特に構成されている。
【００７５】
受信機回路４０１は、アクティブノイズリダクションヘッドセットのマイクロフォンケーブル及び／又はヘッドセットプラグとして理解されることが可能である。
【００７６】
降圧回路４０２は、
降圧チップを含み、降圧チップの入力端は、アクティブノイズリダクションヘッドセットのマイクロフォンケーブルに接続されており、降圧チップの出力端は、アクティブノイズリダクションヘッドセットのノイズリダクションチップの入力端に接続されている。
【００７７】
一実施形態においては、降圧チップは、端末により送信された第１の電圧の受信された信号を処理して第２の電圧の信号を獲得し、第２の電圧が第１の電圧よりも小さい、ように構成されている。次いで第２の電圧の信号は、アクティブノイズリダクションヘッドセットのノイズリダクションチップに送信され、それによってアクティブノイズリダクションヘッドセットのノイズリダクションチップは、第２の電圧の信号を取得してノイズリダクション機能を実施する。
【００７８】
別の実施形態においては、図６において示されているように、降圧回路４０２は、
第１の電圧の信号を処理して第３の電圧の信号を獲得し、第３の電圧が第１の電圧よりも小さく、
第３の電圧の信号がアクティブノイズリダクションヘッドセットの充電式バッテリに送信され、それによって充電式バッテリが第３の電圧の信号を格納する、ように構成されている第１の処理回路４０２１と、
第３の電圧の信号を処理して第２の電圧の信号を獲得し、第３の電圧が第２の電圧よりも大きい、ように構成されている第２の処理回路４０２２とを含む。
【００７９】
第１の処理回路４０２１は、充電チップを含み、第２の処理回路４０２２は、降圧チップを含む。
【００８０】
充電チップの入力端は、アクティブノイズリダクションヘッドセットのマイクロフォンケーブルに接続されており、充電式バッテリの一方の端部は、充電チップの出力端及び降圧チップの入力端に別々に接続されており、充電式バッテリの他方の端部は、接地されており、降圧チップの出力端は、アクティブノイズリダクションヘッドセットのノイズリダクションチップの入力端に接続されている。
【００８１】
受信機回路４０１は、アクティブノイズリダクションヘッドセットのマイクロフォンケーブルを使用することによって、ユーザによりトリガされたトリガ信号を受信するように更に構成されている。
【００８２】
図７において示されているように、アクティブノイズリダクションヘッドセット４０は、
アクティブノイズリダクションヘッドセットのマイクロフォンケーブルを使用することによって、トリガ信号を端末に送信し、それによって端末が、トリガ信号に従って端末の送信信号を中断するか又は切り換え、送信信号が端末によってアクティブノイズリダクションヘッドセットに送信されるデータ信号又は音声信号である、ように構成されているトリガ回路４０３を更に含む。
【００８３】
トリガ回路４０３は、
ボタンスイッチ及び抵抗器Ｒ１を含むことができ、抵抗器Ｒ１の一方の端部は、接地されており、抵抗器Ｒ１の他方の端部は、ボタンスイッチに直列に接続されており、ボタンスイッチは、アクティブノイズリダクションヘッドセットのマイクロフォンケーブルに接続されており、ユーザがアクティブノイズリダクションヘッドセットをトリガしているということを示すトリガ信号が、アクティブノイズリダクションヘッドセットのマイクロフォンケーブルを使用することによって受信されたときに、ボタンスイッチ及び抵抗器Ｒ１は導通される。
【００８４】
本発明の一実施形態は、端末５０を提供し、この端末はアクティブノイズリダクションヘッドセットに接続される。図８において示されているように、端末５０は、
電源電圧を端末に提供するように構成されている電源５０１と、
端末の電源電圧の信号を処理して第１の電圧の信号を獲得し、電源電圧が第１の電圧よりも小さい、ように構成されている昇圧回路５０２とを含む。
【００８５】
昇圧回路５０２は、第１の電圧の信号をアクティブノイズリダクションヘッドセットに送信し、それによってアクティブノイズリダクションヘッドセットが、第１の電圧の信号を処理して第２の電圧の信号を獲得し、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施し、第２の電圧が第１の電圧よりも小さい、ように更に構成されている。
【００８６】
この方法においては、アクティブノイズリダクションヘッドセットが端末に接続された後に、端末は、第１の電圧の信号をアクティブノイズリダクションヘッドセットに送信することができる。第１の電圧の信号を受信した後に、アクティブノイズリダクションヘッドセットは、第１の電圧の信号を処理して第２の電圧の信号を獲得し、それによってアクティブノイズリダクションヘッドセットのノイズリダクションチップは、第２の電圧の信号を取得してノイズリダクション機能を実施し、したがって、アクティブノイズリダクションヘッドセットに接続されている端末は、アクティブノイズリダクションヘッドセットに電力を供給し、これは、アクティブノイズリダクションヘッドセットの電力供給オペレーションが高度に複雑であるという問題を効果的に解決することができる。
【００８７】
昇圧回路５０２は、
昇圧チップを含み、昇圧チップの入力端は、端末の電源の出力端に接続されており、昇圧チップの出力端は、アクティブノイズリダクションヘッドセットのマイクロフォンケーブルに接続されている。
【００８８】
図９において示されているように、端末５０は、
アクティブノイズリダクションヘッドセットのマイクロフォンケーブルにより送信されたトリガ信号を受信し、トリガ信号がトリガリングを用いてユーザによって生成される、ように構成されているトリガ回路５０３を更に含むことができる。
【００８９】
トリガ回路５０３は、トリガ信号に従って端末の送信信号を中断するか又は切り換え、送信信号が端末によってアクティブノイズリダクションヘッドセットに送信されるデータ信号又は音声信号である、ように更に構成されている。
【００９０】
トリガ回路５０３は、
抵抗器Ｒ２及びコンパレータを含み、
抵抗器Ｒ２の一方の端部は、昇圧チップの出力端及びコンパレータの第１の入力端に別々に接続されており、抵抗器Ｒ２の他方の端部は、アクティブノイズリダクションヘッドセットのマイクロフォンケーブル及びコンパレータの第２の入力端に別々に接続されている。
【００９１】
端末が、アクティブノイズリダクションヘッドセットのマイクロフォンケーブルにより送信されたトリガ信号を受信した後に、コンパレータは、抵抗器Ｒ２の２つの端部における電圧を比較することによって電圧差を獲得し、電圧差に従ってレベル信号を獲得し、端末の送信信号を中断するか又は切り換え、レベル信号は、高レベル信号及び低レベル信号を含むことができるということに留意されたい。
【００９２】
一実施形態においては、典型的には、端末が携帯電話であると想定され、アクティブノイズリダクションヘッドセットのヘッドセットプラグのケーブルが、左から右へ連続して、オーディオ左チャネルケーブル、オーディオ右チャネルケーブル、グランドケーブル、及びマイクロフォンケーブルであり、アクティブノイズリダクションヘッドセットは、携帯電話に接続されており、すなわち、アクティブノイズリダクションヘッドセットのヘッドセットプラグは、携帯電話のヘッドセットジャック内に挿入されている、と想定される。図１０において示されているように、携帯電話は、電源６０、昇圧チップ７０、抵抗器Ｒ２、コンパレータ８０、オーディオマルチメディアデジタル信号コーデック９０、及び中央処理装置１００、すなわち、図１０における破線の枠内に含まれているコンポーネントを含む。
【００９３】
電源６０は、昇圧チップ７０の入力端及びオーディオマルチメディアデジタル信号コーデック９０の入力端に別々に接続されており、抵抗器Ｒ２の端部ａは、昇圧チップ７０の出力端及びコンパレータ８０の第１の入力端に別々に接続されており、抵抗器Ｒ２の端部ｂは、コンパレータ８０の第２の入力端に接続されており、コンパレータ８０の出力端は、中央処理装置１００に接続されており、オーディオマルチメディアデジタル信号コーデック９０の左オーディオ出力端ｍは、アクティブノイズリダクションヘッドセットのヘッドセットプラグ１１０のオーディオ左チャネルケーブル１１０１に接続されており、オーディオマルチメディアデジタル信号コーデック９０の右オーディオ出力端ｎは、アクティブノイズリダクションヘッドセットのヘッドセットプラグ１１０のオーディオ右チャネルケーブル１１０２に接続されており、オーディオマルチメディアデジタル信号コーデック９０は、オーディオバスＩ２Ｓを使用することによって中央処理装置１００に接続されている。アクティブノイズリダクションヘッドセットのヘッドセットプラグ１１０のマイクロフォンケーブル１１０４は、オーディオマルチメディアデジタル信号コーデック９０のヘッドセットマイクロフォンケーブルＭに接続されることが可能であるか、又は抵抗器Ｒ２の端部ｂに接続されることが可能であり、電源は、リチウムイオンバッテリであることが可能であるということに留意されたい。
【００９４】
図１１において示されているように、アクティブノイズリダクションヘッドセットは、アクティブノイズリダクションヘッドセットのヘッドセットプラグ１１０、降圧チップ１２０、バッテリ１３０、充電チップ１４０、ノイズリダクションチップ１５０、左ノイズリダクションマイクロフォン１６０、右ノイズリダクションマイクロフォン１７０、左ラウドスピーカ１８０、右ラウドスピーカ１９０、会話用マイクロフォン２００、抵抗器Ｒ１、及びボタンスイッチＱを含むことができる。アクティブノイズリダクションヘッドセットのヘッドセットプラグ１１０は、オーディオ左チャネルケーブル１１０１、オーディオ右チャネルケーブル１１０２、グランドケーブル１１０３、及びマイクロフォンケーブル１１０４を含む。
【００９５】
アクティブノイズリダクションヘッドセットのマイクロフォンケーブル１１０４は、充電チップ１４０の入力端及び会話用マイクロフォン２００の一方の端部に接続されており、会話用マイクロフォン２００の他方の端部は、接地されており、充電チップ１４０の出力端は、降圧チップ１２０の入力端に接続されており、バッテリ１３０は、充電チップ１４０の出力端及び降圧チップ１２０の入力端に別々に接続されており、降圧チップ１２０の出力端は、ノイズリダクションチップ１５０に接続されており、アクティブノイズリダクションヘッドセットのオーディオ右チャネルケーブル１１０２は、ノイズリダクションチップ１５０のオーディオ右チャネル入力端に接続されており、ノイズリダクションチップ１５０のオーディオ右チャネル出力端は、右ラウドスピーカ１９０に接続されており、アクティブノイズリダクションヘッドセットのオーディオ左チャネルケーブル１１０１は、ノイズリダクションチップ１５０のオーディオ左チャネル入力端に接続されており、ノイズリダクションチップ１５０のオーディオ左チャネル出力端は、左ラウドスピーカ１８０に接続されており、左ノイズリダクションマイクロフォン１６０及び右ノイズリダクションマイクロフォン１７０は、ノイズリダクションチップ１５０に別々に接続されており、抵抗器Ｒ１の端部ａは、接地されており、抵抗器Ｒ１の端部ｂは、アクティブノイズリダクションヘッドセットのマイクロフォンケーブル１１０４に接続されている。一般的に、バッテリは、リチウムイオンバッテリであることが可能であり、リチウムイオンバッテリの電圧は、３．２Ｖ〜４．２Ｖにわたる。アクティブノイズリダクションヘッドセットのヘッドセットプラグのサイズは、４つのセグメントを伴って３．５ｍｍであることが可能である。
【００９６】
携帯電話の電源は、携帯電話及びアクティブノイズリダクションヘッドセットに電力を供給するように構成されている。携帯電話の電源は、３．２Ｖ〜４．２Ｖの電圧範囲を伴う電源電圧を提供することができ、携帯電話の出力電圧は５Ｖであると想定される。本発明のこの実施形態においては、アクティブノイズリダクションヘッドセットのマイクロフォンケーブルが、アクティブノイズリダクションヘッドセットの電力ケーブルとして使用され、携帯電話は、アクティブノイズリダクションヘッドセットのマイクロフォンケーブルを使用することによって、アクティブノイズリダクションヘッドセットに電力を供給するということに留意されたい。
【００９７】
アクティブノイズリダクションヘッドセットのマイクロフォンケーブルが占有されていない場合は、すなわち、携帯電話がスタンバイ状態にある場合、又は音声サービスの会話状態にない場合にユーザがアクティブノイズリダクションヘッドセットのマイクロフォンを使用していない場合は、ユーザは、アクティブノイズリダクションヘッドセットに接続されている携帯電話を使用することによって音楽を聴いていると想定され、携帯電話の電源電圧が４Ｖであり、アクティブノイズリダクションヘッドセットのマイクロフォンケーブルが抵抗器Ｒ２の端部ｂに接続されている場合には、最初に昇圧チップが、携帯電話の電源によって提供される４Ｖの電源電圧の電圧を、携帯電話の５Ｖの出力電圧まで増大させ、抵抗器Ｒ２を使用することによってできるだけ最小限の電圧分割を実行し、アクティブノイズリダクションヘッドセットのマイクロフォンケーブルを使用することによって、電圧分割後の５Ｖの電圧信号をアクティブノイズリダクションヘッドセットの充電チップに送信し、次いで充電チップは、バッテリの電圧に従って、電圧分割後の５Ｖの電圧を、バッテリを充電するのに役立つ電圧まで減らす。電圧分割後の５Ｖの電圧は、４Ｖの電圧まで減らされ、充電チップは、４Ｖの電圧をバッテリに送信してバッテリを充電し、充電チップは、４Ｖの電圧を降圧チップに送信すると想定される。次いで降圧チップは、ノイズリダクションチップの電力供給要件に従って、４Ｖの電圧を、ノイズリダクションチップに電力を供給するのに役立つ電圧まで減らし、４Ｖの電圧は、ノイズリダクションチップに電力を供給するために１．８Ｖまで減らされると想定される。
【００９８】
加えて、中央処理装置は、オーディオバスＩ２Ｓを使用することによって、再生された音楽をオーディオマルチメディアデジタル信号コーデックに送信し、オーディオマルチメディアデジタル信号コーデックの左オーディオ出力端ｍは、アクティブノイズリダクションヘッドセットのヘッドセットプラグのオーディオ左チャネルケーブルを使用することによってノイズリダクションチップのオーディオ左チャネル出力端に、再生された音楽を送信し、オーディオマルチメディアデジタル信号コーデックの右オーディオ出力端ｎは、アクティブノイズリダクションヘッドセットのヘッドセットプラグのオーディオ右チャネルケーブルを使用することによってノイズリダクションチップのオーディオ右チャネル出力端に、再生された音楽を送信し、ノイズリダクションチップは、左ラウドスピーカ及び右ラウドスピーカを使用することによって音楽を送信する。左ノイズリダクションマイクロフォン及び右ノイズリダクションマイクロフォンは、外部ノイズを受信し、外部ノイズをノイズリダクションチップに送信する。ノイズリダクションチップは、ノイズを処理する。
【００９９】
さらに、ユーザがアクティブノイズリダクションヘッドセットの電話応答ボタンをトリガした場合には、トリガ信号が形成され、ボタンスイッチＱが接続され、抵抗器Ｒ１が、抵抗器Ｒ２に直列に接続される。結果として、比較的大きな電流、たとえば１００ｍＡの電流が、抵抗器Ｒ２を流れる。加えて、抵抗器Ｒ２の２つの端部において、比較的大きな電圧差が形成される。コンパレータは、抵抗器Ｒ２の２つの端部における電圧を取得し、次いで抵抗器Ｒ２の２つの端部における電圧を比較して電圧差を獲得し、電圧差に従って割り込み信号を生成し、割り込み信号を中央処理装置に送信する。中央処理装置は、割り込み信号に従って音楽を中断するか又は切り換える。たとえば、抵抗器Ｒ１は４０オームであり、抵抗器Ｒ２は１０オームであると想定すると、抵抗器Ｒ１が抵抗器Ｒ２に直列に接続された場合、すなわち、５Ｖが５０オームによって割られて電流、すなわち０．１Ａを獲得する場合には、抵抗器Ｒ２の端部ｂの電圧は４Ｖであり、抵抗器Ｒ２の端部ａの電圧は５Ｖであり、抵抗器Ｒ２の２つの端部の電圧差は１Ｖである。結果として、コンパレータは、低レベルの割り込み信号を出力する。抵抗器Ｒ２の抵抗が大きすぎることは不可能であり、抵抗器Ｒ２は、抵抗器Ｒ１よりも小さくてよいということに留意されたい。抵抗器Ｒ２の値が比較的大きい場合には、携帯電話の電源電圧から分割された電圧が大きすぎる。結果として、携帯電話は、アクティブノイズリダクションヘッドセットに電力を供給することができない。
【０１００】
アクティブノイズリダクションヘッドセットのマイクロフォンケーブルが占有されている場合は、すなわち、ユーザが、アクティブノイズリダクションヘッドセットを使用することによって携帯電話に接続されている場合は、携帯電話は、音声サービスの会話状態にあり、アクティブノイズリダクションヘッドセットのマイクロフォンケーブルがユーザの音声信号を受信した後に、音声信号が、アクティブノイズリダクションヘッドセットのマイクロフォンケーブルを使用することによって出力されることに起因して、アクティブノイズリダクションヘッドセットのマイクロフォンケーブルが占有されている場合には、アクティブノイズリダクションヘッドセットのマイクロフォンケーブルは、オーディオマルチメディアデジタル信号コーデックのヘッドセットマイクロフォンケーブルＭに接続され、ユーザの音声をオーディオマルチメディアデジタル信号コーデックに送信する。オーディオマルチメディアデジタル信号コーデックの左オーディオ出力端ｍは、アクティブノイズリダクションヘッドセットのヘッドセットプラグのオーディオ左チャネルケーブルを使用することによってノイズリダクションチップのオーディオ左チャネル出力端に、受信された音声を送信し、オーディオマルチメディアデジタル信号コーデックの右オーディオ出力端ｎは、アクティブノイズリダクションヘッドセットのヘッドセットプラグのオーディオ右チャネルケーブルを使用することによってノイズリダクションチップのオーディオ右チャネル出力端に、受信された音声を送信し、次いでノイズリダクションチップは、左ラウドスピーカ及び右ラウドスピーカを使用することによって、受信された音声を出力する。左ノイズリダクションマイクロフォン及び右ノイズリダクションマイクロフォンは、外部ノイズを受信し、外部ノイズをノイズリダクションチップに送信する。ノイズリダクションチップは、ノイズを処理する。ノイズリダクションチップは、バッテリによって格納された電気エネルギーを供給されるということに留意されたい。
【０１０１】
アクティブノイズリダクションヘッドセットが、アクティブノイズリダクションヘッドセットに電力を供給することができない端末に接続されている場合には、アクティブノイズリダクションヘッドセットのバッテリによって格納されている電気エネルギーを使用することによってノイズリダクションチップに電力が供給されることが可能であるということに留意されたい。
【０１０２】
特に、アクティブノイズリダクションヘッドセットは、アクティブノイズリダクションヘッドセットに接続されている携帯電話を使用することによって電気エネルギーを取得することができるので、アクティブノイズリダクションヘッドセットのバッテリの容量は、比較的小さく設計されることが可能であるか、又はアクティブノイズリダクションヘッドセットは、バッテリを有していないことが可能であり、それによって、アクティブノイズリダクションヘッドセットの体積は、比較的小さくなる。たとえば、アクティブノイズリダクションヘッドセットのバッテリの容量は、２０ｍＡであることが可能である。従来技術と比較すると、アクティブノイズリダクションヘッドセットに接続されている携帯電話は、アクティブノイズリダクションヘッドセットに電力を供給することができ、それによってアクティブノイズリダクションヘッドセットのノイズリダクションチップは、ノイズリダクション機能を実施する。これは、アクティブノイズリダクションヘッドセットの電力供給オペレーションが高度に複雑であるという問題を効果的に解決すること、及びアクティブノイズリダクションヘッドセットの外観を改善することの両方が可能であり、それによって、ユーザが使用及び携帯することが比較的便利になり、ユーザ経験のレベルが比較的高くなる。
【０１０３】
本発明のこの実施形態によるアクティブノイズリダクションヘッドセットのヘッドセットプラグのケーブルは、左から右へ連続して、オーディオ左チャネルケーブル、オーディオ右チャネルケーブル、グランドケーブル、及びマイクロフォンケーブルであり、これらは、例示的な説明のためにのみ提供されている。実際の適用に際しては、別の接続方法が存在することが可能であり、それは、本明細書においては限定されない。
【０１０４】
別の実施形態においては、典型的には、図１０における説明に基づいて、端末が携帯電話であると想定され、そしてアクティブノイズリダクションヘッドセットのヘッドセットプラグのケーブルは、左から右へ連続して、オーディオ左チャネルケーブル、オーディオ右チャネルケーブル、グランドケーブル、及びマイクロフォンケーブルであり、アクティブノイズリダクションヘッドセットは携帯電話に接続されており、すなわち、アクティブノイズリダクションヘッドセットのヘッドセットプラグは携帯電話のヘッドセットジャック内に挿入されている、と想定される。携帯電話は、電源６０、昇圧チップ７０、抵抗器Ｒ２、コンパレータ８０、オーディオマルチメディアデジタル信号コーデック９０、及び中央処理装置１００を含む。
【０１０５】
電源６０は、昇圧チップ７０の入力端及びオーディオマルチメディアデジタル信号コーデック９０の入力端に別々に接続されており、抵抗器Ｒ２の端部ａは、コンパレータ８０の第１の入力端に接続されており、抵抗器Ｒ２の端部ｂは、アクティブノイズリダクションヘッドセットのマイクロフォンケーブル１１０４及びコンパレータ８０の第２の入力端に別々に接続されており、コンパレータ８０の出力端は、中央処理装置１００に接続されており、オーディオマルチメディアデジタル信号コーデック９０の左オーディオ出力端ｍは、アクティブノイズリダクションヘッドセットのヘッドセットプラグ１１０のオーディオ左チャネルケーブル１１０１に接続されており、オーディオマルチメディアデジタル信号コーデック９０の右オーディオ出力端ｎは、アクティブノイズリダクションヘッドセットのヘッドセットプラグ１１０のオーディオ右チャネルケーブル１１０２に接続されており、オーディオマルチメディアデジタル信号コーデック９０は、オーディオバスＩ２Ｓを使用することによって中央処理装置１００に接続されている。アクティブノイズリダクションヘッドセットのヘッドセットプラグ１１０のマイクロフォンケーブル１１０４は、オーディオマルチメディアデジタル信号コーデック９０のヘッドセットマイクロフォンケーブルＭに接続されることが可能であるか、又は抵抗器Ｒ２の端部ｂに接続されることが可能であり、電源は、リチウムイオンバッテリであることが可能であるということに留意されたい。
【０１０６】
図１２において示されているように、アクティブノイズリダクションヘッドセットは、アクティブノイズリダクションヘッドセットのヘッドセットプラグ１１０、降圧チップ１２０、ノイズリダクションチップ１５０、左ノイズリダクションマイクロフォン１６０、右ノイズリダクションマイクロフォン１７０、左ラウドスピーカ１８０、右ラウドスピーカ１９０、会話用マイクロフォン２００、抵抗器Ｒ１、及びボタンスイッチＱを含む。アクティブノイズリダクションヘッドセットのヘッドセットプラグ１１０は、オーディオ左チャネルケーブル１１０１、オーディオ右チャネルケーブル１１０２、グランドケーブル１１０３、及びマイクロフォンケーブル１１０４を含む。
【０１０７】
アクティブノイズリダクションヘッドセットのマイクロフォンケーブル１１０４は、降圧チップ１２０の入力端及び会話用マイクロフォン２００の一方の端部に接続されており、会話用マイクロフォン２００の他方の端部は、接地されており、降圧チップ１２０の出力端は、ノイズリダクションチップ１５０に接続されており、アクティブノイズリダクションヘッドセットのオーディオ右チャネルケーブル１１０２は、ノイズリダクションチップ１５０のオーディオ右チャネル入力端に接続されており、ノイズリダクションチップ１５０のオーディオ右チャネル出力端は、右ラウドスピーカ１９０に接続されており、アクティブノイズリダクションヘッドセットのオーディオ左チャネルケーブル１１０１は、ノイズリダクションチップ１５０のオーディオ左チャネル入力端に接続されており、ノイズリダクションチップ１５０のオーディオ左チャネル出力端は、左ラウドスピーカ１８０に接続されており、左ノイズリダクションマイクロフォン１６０及び右ノイズリダクションマイクロフォン１７０は、ノイズリダクションチップ１５０に別々に接続されており、抵抗器Ｒ１の端部ａは、接地されており、抵抗器Ｒ１の端部ｂは、アクティブノイズリダクションヘッドセットのマイクロフォンケーブル１１０４に接続されている。アクティブノイズリダクションヘッドセットのヘッドセットプラグのサイズは、４つのセグメントを伴って３．５ｍｍであることが可能である。
【０１０８】
携帯電話の電源は、携帯電話及びアクティブノイズリダクションヘッドセットに電力を供給するように構成されている。携帯電話の電源は、３．２Ｖ〜４．２Ｖの電圧範囲を伴う電源電圧を提供することができ、携帯電話の出力電圧は５Ｖであると想定される。本発明のこの実施形態においては、アクティブノイズリダクションヘッドセットのマイクロフォンケーブルが、アクティブノイズリダクションヘッドセットの電力ケーブルとして使用され、携帯電話は、アクティブノイズリダクションヘッドセットのマイクロフォンケーブルを使用することによって、アクティブノイズリダクションヘッドセットに電力を供給するということに留意されたい。
【０１０９】
アクティブノイズリダクションヘッドセットのマイクロフォンケーブルが占有されていない場合は、すなわち、携帯電話がスタンバイ状態にある場合、又は音声サービスの会話状態にない場合にユーザがアクティブノイズリダクションヘッドセットのマイクロフォンを使用していない場合は、ユーザは、アクティブノイズリダクションヘッドセットに接続されている携帯電話を使用することによって音楽を聴いていると想定され、携帯電話の電源電圧が４Ｖであり、アクティブノイズリダクションヘッドセットのマイクロフォンケーブルが抵抗器Ｒ２の端部ｂに接続されている場合には、最初に昇圧チップが、携帯電話の電源によって提供される４Ｖの電源電圧を、携帯電話の５Ｖの出力電圧まで増大させ、抵抗器Ｒ２を使用することによってできるだけ最小限の電圧分割を実行し、アクティブノイズリダクションヘッドセットのマイクロフォンケーブルを使用することによって、電圧分割後の５Ｖの電圧信号をアクティブノイズリダクションヘッドセットの降圧チップに送信し、次いで降圧チップは、ノイズリダクションチップの電力供給要件に従って、電圧分割後の５Ｖの電圧を、ノイズリダクションチップに電力を供給するのに役立つ電圧まで減らし、電圧分割後の５Ｖの電圧は、ノイズリダクションチップに電力を供給するために１．８Ｖまで減らされると想定される。
【０１１０】
加えて、中央処理装置は、オーディオバスＩ２Ｓを使用することによって、再生された音楽をオーディオマルチメディアデジタル信号コーデックに送信し、オーディオマルチメディアデジタル信号コーデックの左オーディオ出力端ｍは、アクティブノイズリダクションヘッドセットのヘッドセットプラグのオーディオ左チャネルケーブルを使用することによってノイズリダクションチップのオーディオ左チャネル出力端に、再生された音楽を送信し、オーディオマルチメディアデジタル信号コーデックの右オーディオ出力端ｎは、アクティブノイズリダクションヘッドセットのヘッドセットプラグのオーディオ右チャネルケーブルを使用することによってノイズリダクションチップのオーディオ右チャネル出力端に、再生された音楽を送信し、ノイズリダクションチップは、左ラウドスピーカ及び右ラウドスピーカを使用することによって音楽を送信する。左ノイズリダクションマイクロフォン及び右ノイズリダクションマイクロフォンは、外部ノイズを受信し、外部ノイズをノイズリダクションチップに送信する。ノイズリダクションチップは、ノイズを処理する。
【０１１１】
さらに、ユーザがアクティブノイズリダクションヘッドセットの電話応答ボタンをトリガした場合には、トリガ信号が形成され、ボタンスイッチＱが接続され、抵抗器Ｒ１が、抵抗器Ｒ２に直列に接続される。結果として、比較的大きな電流、たとえば１００ｍＡの電流が、抵抗器Ｒ２を流れる。加えて、抵抗器Ｒ２の２つの端部において、比較的大きな電圧差が形成される。コンパレータは、抵抗器Ｒ２の２つの端部における電圧を取得し、次いで抵抗器Ｒ２の２つの端部における電圧を比較して電圧差を獲得し、電圧差に従って割り込み信号を生成し、割り込み信号を中央処理装置に送信する。中央処理装置は、割り込み信号に従って音楽を中断するか又は切り換える。たとえば、抵抗器Ｒ１は４０オームであり、抵抗器Ｒ２は１０オームであると想定すると、抵抗器Ｒ１が抵抗器Ｒ２に直列に接続された場合、すなわち、５Ｖが５０オームによって割られて電流、すなわち０．１Ａを獲得する場合には、抵抗器Ｒ２の端部ｂの電圧は４Ｖであり、抵抗器Ｒ２の端部ａの電圧は５Ｖであり、抵抗器Ｒ２の２つの端部の電圧差は１Ｖである。結果として、コンパレータは、低レベルの割り込み信号を出力し、曲を切り換えること、曲を一時停止することなどが可能である。抵抗器Ｒ２の抵抗が大きすぎることは不可能であり、抵抗器Ｒ２は、抵抗器Ｒ１よりも小さくてよいということに留意されたい。抵抗器Ｒ２の値が比較的大きい場合には、携帯電話の電源電圧から分割された電圧が大きすぎる。結果として、携帯電話は、アクティブノイズリダクションヘッドセットに電力を供給することができない。
【０１１２】
アクティブノイズリダクションヘッドセットのマイクロフォンケーブルが占有されている場合は、すなわち、携帯電話が音声サービスの会話状態にある場合は、アクティブノイズリダクションヘッドセットのマイクロフォンがユーザの音声信号を受信した後に、音声信号が、アクティブノイズリダクションヘッドセットのマイクロフォンケーブルを使用することによって出力されることに起因して、アクティブノイズリダクションヘッドセットのマイクロフォンケーブルが占有されている場合には、アクティブノイズリダクションヘッドセットのマイクロフォンケーブルは、オーディオマルチメディアデジタル信号コーデックのヘッドセットマイクロフォンケーブルＭに接続され、ユーザの音声をオーディオマルチメディアデジタル信号コーデックに送信する。オーディオマルチメディアデジタル信号コーデックの左オーディオ出力端ｍは、アクティブノイズリダクションヘッドセットのヘッドセットプラグのオーディオ左チャネルケーブルを使用することによってノイズリダクションチップのオーディオ左チャネル出力端に、受信された音声を送信し、オーディオマルチメディアデジタル信号コーデックの右オーディオ出力端ｎは、アクティブノイズリダクションヘッドセットのヘッドセットプラグのオーディオ右チャネルケーブルを使用することによってノイズリダクションチップのオーディオ右チャネル出力端に、受信された音声を送信し、次いでノイズリダクションチップは、左ラウドスピーカ及び右ラウドスピーカを使用することによって、受信された音声を出力する。このケースにおいては、アクティブノイズリダクションヘッドセットは、マイクロフォンケーブルを使用することによってノイズリダクションチップに電力を供給することができないということに留意されたい。
【０１１３】
特に、アクティブノイズリダクションヘッドセットは、アクティブノイズリダクションヘッドセットに接続されている携帯電話を使用することによって電気エネルギーを取得することができるので、アクティブノイズリダクションヘッドセットは、バッテリを有していないことが可能であり、それによって、アクティブノイズリダクションヘッドセットの体積が比較的小さくなる。従来技術と比較すると、アクティブノイズリダクションヘッドセットに接続されている携帯電話は、アクティブノイズリダクションヘッドセットに電力を供給することができ、それによってアクティブノイズリダクションヘッドセットのノイズリダクションチップは、ノイズリダクション機能を実施する。これは、アクティブノイズリダクションヘッドセットの電力供給オペレーションが高度に複雑であるという問題を効果的に解決すること、及びアクティブノイズリダクションヘッドセットの外観を改善することの両方が可能であり、それによって、ユーザが使用及び携帯することが比較的便利になり、ユーザ経験のレベルが比較的高くなる。
【０１１４】
本発明のこの実施形態によるアクティブノイズリダクションヘッドセットのヘッドセットプラグのケーブルは、左から右へ連続して、オーディオ左チャネルケーブル、オーディオ右チャネルケーブル、グランドケーブル、及びマイクロフォンケーブルであり、これらは、例示的な説明のためにのみ提供されている。実際の適用に際しては、別の接続方法が存在することが可能であり、それは、本明細書においては限定されない。
【０１１５】
更に別の実施形態においては、典型的には、端末が携帯電話であると想定され、アクティブノイズリダクションヘッドセットのヘッドセットプラグのケーブルが、左から右へ連続して、オーディオ左チャネルケーブル、オーディオ右チャネルケーブル、グランドケーブル、及びマイクロフォンケーブルであり、アクティブノイズリダクションヘッドセットは、携帯電話に接続されており、すなわち、アクティブノイズリダクションヘッドセットのヘッドセットプラグは、携帯電話のヘッドセットジャック内に挿入されている、と想定される。図１３において示されているように、携帯電話は、電源６０、オーディオマルチメディアデジタル信号コーデック９０、及び中央処理装置１００を含む。
【０１１６】
電源６０は、オーディオマルチメディアデジタル信号コーデック９０の入力端に接続されており、オーディオマルチメディアデジタル信号コーデック９０の左オーディオ出力端ｍは、アクティブノイズリダクションヘッドセットのヘッドセットプラグ１１０のオーディオ左チャネルケーブル１１０１に接続されており、オーディオマルチメディアデジタル信号コーデック９０の右オーディオ出力端ｎは、アクティブノイズリダクションヘッドセットのヘッドセットプラグ１１０のオーディオ右チャネルケーブル１１０２に接続されており、オーディオマルチメディアデジタル信号コーデック９０は、オーディオバスＩ２Ｓを使用することによって中央処理装置１００に接続されており、オーディオマルチメディアデジタル信号コーデック９０のヘッドセットマイクロフォンケーブルＭは、アクティブノイズリダクションヘッドセットのヘッドセットプラグ１１０のマイクロフォンケーブル１１０４に接続されている。電源は、リチウムイオンバッテリであることが可能である。
【０１１７】
図１１において示されているように、アクティブノイズリダクションヘッドセットは、アクティブノイズリダクションヘッドセットのヘッドセットプラグ１１０、降圧チップ１２０、バッテリ１３０、充電チップ１４０、ノイズリダクションチップ１５０、左ノイズリダクションマイクロフォン１６０、右ノイズリダクションマイクロフォン１７０、左ラウドスピーカ１８０、右ラウドスピーカ１９０、会話用マイクロフォン２００、抵抗器Ｒ１、及びボタンスイッチＱを含むことができる。アクティブノイズリダクションヘッドセットのヘッドセットプラグ１１０は、オーディオ左チャネルケーブル１１０１、オーディオ右チャネルケーブル１１０２、グランドケーブル１１０３、及びマイクロフォンケーブル１１０４を含む。
【０１１８】
アクティブノイズリダクションヘッドセットのマイクロフォンケーブル１１０４は、充電チップ１４０の入力端及び会話用マイクロフォン２００の一方の端部に接続されており、会話用マイクロフォン２００の他方の端部は、接地されており、充電チップ１４０の出力端は、降圧チップ１２０の入力端に接続されており、バッテリ１３０は、充電チップ１４０の出力端及び降圧チップ１２０の入力端に別々に接続されており、降圧チップ１２０の出力端は、ノイズリダクションチップ１５０に接続されており、アクティブノイズリダクションヘッドセットのオーディオ右チャネルケーブル１１０２は、ノイズリダクションチップ１５０のオーディオ右チャネル入力端に接続されており、ノイズリダクションチップ１５０のオーディオ右チャネル出力端は、右ラウドスピーカ１９０に接続されており、アクティブノイズリダクションヘッドセットのオーディオ左チャネルケーブル１１０１は、ノイズリダクションチップ１５０のオーディオ左チャネル入力端に接続されており、ノイズリダクションチップ１５０のオーディオ左チャネル出力端は、左ラウドスピーカ１８０に接続されており、左ノイズリダクションマイクロフォン１６０及び右ノイズリダクションマイクロフォン１７０は、ノイズリダクションチップ１５０に別々に接続されており、抵抗器Ｒ１の端部ａは、接地されており、抵抗器Ｒ１の端部ｂは、アクティブノイズリダクションヘッドセットのマイクロフォンケーブル１１０４に接続されている。一般的に、バッテリは、リチウムイオンバッテリであることが可能であり、リチウムイオンバッテリの電圧は、３．２Ｖ〜４．２Ｖにわたる。アクティブノイズリダクションヘッドセットのヘッドセットプラグのサイズは、４つのセグメントを伴って３．５ｍｍであることが可能である。
【０１１９】
本発明のこの実施形態においては、携帯電話は、アクティブノイズリダクションヘッドセットに電力を供給することができず、アクティブノイズリダクションヘッドセットのバッテリは、電気エネルギーを格納し、電圧は４Ｖであると想定される。
【０１２０】
携帯電話がスタンバイ状態にある場合、又は音声サービスの会話状態にない場合にユーザがアクティブノイズリダクションヘッドセットのマイクロフォンを使用していない場合、ユーザが、アクティブノイズリダクションヘッドセットに接続されている携帯電話を使用することによって音楽を聴いている場合には、アクティブノイズリダクションヘッドセットのバッテリは、４Ｖの電圧を降圧チップに送信し、次いで降圧チップは、ノイズリダクションチップの電力供給要件に従って、４Ｖの電圧を、ノイズリダクションチップに電力を供給するのに役立つ電圧まで減らす。４Ｖの電圧は、ノイズリダクションチップに電力を供給するために１．８Ｖまで減らされると想定される。
【０１２１】
加えて、中央処理装置は、オーディオバスＩ２Ｓを使用することによって、再生された音楽をオーディオマルチメディアデジタル信号コーデックに送信し、オーディオマルチメディアデジタル信号コーデックの左オーディオ出力端ｍは、アクティブノイズリダクションヘッドセットのヘッドセットプラグのオーディオ左チャネルケーブルを使用することによってノイズリダクションチップのオーディオ左チャネル出力端に、再生された音楽を送信し、オーディオマルチメディアデジタル信号コーデックの右オーディオ出力端ｎは、アクティブノイズリダクションヘッドセットのヘッドセットプラグのオーディオ右チャネルケーブルを使用することによってノイズリダクションチップのオーディオ右チャネル出力端に、再生された音楽を送信し、ノイズリダクションチップは、左ラウドスピーカ及び右ラウドスピーカを使用することによって音楽を送信する。左ノイズリダクションマイクロフォン及び右ノイズリダクションマイクロフォンは、外部ノイズを受信し、外部ノイズをノイズリダクションチップに送信する。ノイズリダクションチップは、ノイズを処理する。
【０１２２】
アクティブノイズリダクションヘッドセットのマイクロフォンケーブルが占有されている場合は、すなわち、ユーザが、アクティブノイズリダクションヘッドセットを使用することによって携帯電話に接続されている場合は、携帯電話は、音声サービスの会話状態にあり、アクティブノイズリダクションヘッドセットのマイクロフォンケーブルがユーザの音声信号を受信した後に、音声信号が、アクティブノイズリダクションヘッドセットのマイクロフォンケーブルを使用することによって出力されることに起因して、アクティブノイズリダクションヘッドセットのマイクロフォンケーブルが占有されている場合には、アクティブノイズリダクションヘッドセットのマイクロフォンケーブルは、オーディオマルチメディアデジタル信号コーデックのヘッドセットマイクロフォンケーブルＭに接続され、ユーザの音声をオーディオマルチメディアデジタル信号コーデックに送信する。オーディオマルチメディアデジタル信号コーデックの左オーディオ出力端ｍは、アクティブノイズリダクションヘッドセットのヘッドセットプラグのオーディオ左チャネルケーブルを使用することによってノイズリダクションチップのオーディオ左チャネル出力端に、受信された音声を送信し、オーディオマルチメディアデジタル信号コーデックの右オーディオ出力端ｎは、アクティブノイズリダクションヘッドセットのヘッドセットプラグのオーディオ右チャネルケーブルを使用することによってノイズリダクションチップのオーディオ右チャネル出力端に、受信された音声を送信し、次いでノイズリダクションチップは、左ラウドスピーカ及び右ラウドスピーカを使用することによって、受信された音声を出力する。左ノイズリダクションマイクロフォン及び右ノイズリダクションマイクロフォンは、外部ノイズを受信し、外部ノイズをノイズリダクションチップに送信する。ノイズリダクションチップは、ノイズを処理する。アクティブノイズリダクションヘッドセットのバッテリは、４Ｖの電圧を降圧チップに送信し、次いで降圧チップは、ノイズリダクションチップの電力供給要件に従って、４Ｖの電圧を、ノイズリダクションチップに電力を供給するのに役立つ電圧まで減らすということに留意されたい。４Ｖの電圧は、ノイズリダクションチップに電力を供給するために１．８Ｖまで減らされると想定される。
【０１２３】
特に、アクティブノイズリダクションヘッドセットのバッテリの容量は、比較的小さく設計されることが可能であり、それによって、アクティブノイズリダクションヘッドセットの体積は、比較的小さくなり、たとえば、アクティブノイズリダクションヘッドセットのバッテリの容量は、２０ｍＡであることが可能である。従来技術と比較すると、アクティブノイズリダクションヘッドセットのバッテリは、アクティブノイズリダクションヘッドセットのノイズリダクションチップに電力を供給し、それによってアクティブノイズリダクションヘッドセットのノイズリダクションチップは、ノイズリダクション機能を実施する。これは、アクティブノイズリダクションヘッドセットの電力供給オペレーションが高度に複雑であるという問題を効果的に解決すること、及びアクティブノイズリダクションヘッドセットの外観を改善することの両方が可能であり、それによって、ユーザが使用及び携帯することが比較的便利になり、ユーザ経験のレベルが比較的高くなる。アクティブノイズリダクションヘッドセットのバッテリの電気エネルギーが不十分である場合には、アクティブノイズリダクションヘッドセットは、アクティブノイズリダクションヘッドセットに電気エネルギーを提供する携帯電話に接続されることも可能である。アクティブノイズリダクションヘッドセットは、携帯電話を使用することによって電気エネルギーを取得し、アクティブノイズリダクションヘッドセットのバッテリを充電する。
【０１２４】
本発明のこの実施形態によるアクティブノイズリダクションヘッドセットのヘッドセットプラグのケーブルは、左から右へ連続して、オーディオ左チャネルケーブル、オーディオ右チャネルケーブル、グランドケーブル、及びマイクロフォンケーブルであり、これらは、例示的な説明のためにのみ提供されている。実際の適用に際しては、別の接続方法が存在することが可能であり、それは、本明細書においては限定されない。
【０１２５】
本発明によるアクティブノイズリダクションヘッドセットは、アクティブノイズリダクションヘッドセットに電気エネルギーを提供することができない携帯電話に接続されることが可能であり、アクティブノイズリダクションヘッドセットのバッテリを使用することによってアクティブノイズリダクションヘッドセットのノイズリダクションチップに電力が供給され、それによってアクティブノイズリダクションヘッドセットのノイズリダクションチップは、ノイズリダクション機能を実施する。アクティブノイズリダクションヘッドセットは、アクティブノイズリダクションヘッドセットに電気エネルギーを提供する携帯電話に更に接続されることが可能であり、携帯電話の電気エネルギーを使用することによってアクティブノイズリダクションヘッドセットのノイズリダクションチップに電力が供給され、それによってアクティブノイズリダクションヘッドセットのノイズリダクションチップは、ノイズリダクション機能を実施する。加えて、携帯電話は、アクティブノイズリダクションヘッドセットのバッテリを充電する。さらに、アクティブノイズリダクションヘッドセットのバッテリが完全に充電された後に、携帯電話が依然としてアクティブノイズリダクションヘッドセットに接続されている場合には、アクティブノイズリダクションヘッドセットに電力が更に供給されることが可能である。このケースにおいては、アクティブノイズリダクションヘッドセットは、アクティブノイズリダクションヘッドセットのバッテリの電気エネルギーを使用することによってアクティブノイズリダクションヘッドセットのノイズリダクションチップに電力を供給することができるか、又は携帯電話の電気エネルギーを使用することによってアクティブノイズリダクションヘッドセットのノイズリダクションチップに電力を供給することができ、後者が好ましい。これは、アクティブノイズリダクションヘッドセットのバッテリが完全に充電された後に使用される場合には、携帯電話の電気エネルギーを使用することによってバッテリが繰り返し充電されることに起因してバッテリの寿命が短縮されるというケースを回避することができる。特に、アクティブノイズリダクションヘッドセットは、バッテリを有していないことが可能であり、アクティブノイズリダクションヘッドセットに電気エネルギーを提供する携帯電話に直接接続される。携帯電話の電気エネルギーを使用することによってアクティブノイズリダクションヘッドセットのノイズリダクションチップに電力が供給され、それによってアクティブノイズリダクションヘッドセットのノイズリダクションチップは、ノイズリダクション機能を実施する。アクティブノイズリダクションヘッドセットのバッテリの容量は、比較的小さく設計されることが可能であり、それによって、アクティブノイズリダクションヘッドセットの体積は、比較的小さくなり、たとえば、アクティブノイズリダクションヘッドセットのバッテリの容量は、２０ｍＡであることが可能であるということに留意されたい。これは、アクティブノイズリダクションヘッドセットの電力供給オペレーションが高度に複雑であるという問題を効果的に解決すること、及びアクティブノイズリダクションヘッドセットの外観を改善することの両方が可能であり、それによって、ユーザが使用及び携帯することが比較的便利になり、ユーザ経験のレベルが比較的高くなる。
【０１２６】
本発明の一実施形態は、図１４において示されているように、アクティブノイズリダクションヘッドセット２１０１と、端末２１０２とを含む電力供給システム２１０を提供する。
【０１２７】
端末２１０２は、端末の電源によって提供された電源電圧の信号を取得し、端末の電源電圧の信号を処理して第１の電圧の信号を獲得し、電源電圧が第１の電圧よりも小さく、第１の電圧の信号をアクティブノイズリダクションヘッドセットに送信し、それによってアクティブノイズリダクションヘッドセットが、第１の電圧の信号を処理して第２の電圧の信号を獲得し、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施し、第２の電圧が第１の電圧よりも小さい、ように構成されている。
【０１２８】
アクティブノイズリダクションヘッドセット２１０１は、端末により送信された第１の電圧の信号を受信し、第１の電圧の信号を処理して第２の電圧の信号を獲得し、第２の電圧が第１の電圧よりも小さく、第２の電圧の信号が、アクティブノイズリダクションヘッドセットのノイズリダクションチップに送信され、それによってアクティブノイズリダクションヘッドセットのノイズリダクションチップが、第２の電圧の信号を取得してノイズリダクション機能を実施する、ように構成されている。
【０１２９】
本発明のこの実施形態において提供される、アクティブノイズリダクションヘッドセットに電力を供給するための方法によれば、アクティブノイズリダクションヘッドセットが端末に接続された後に、最初に、端末は、端末の電源電圧の信号を処理して第１の電圧の信号を獲得し、第１の電圧の信号をアクティブノイズリダクションヘッドセットに送信し、次いでアクティブノイズリダクションヘッドセットは、端末により送信された第１の電圧の信号を受信し、第１の電圧の信号を処理して第２の電圧の信号を獲得し、第２の電圧の信号をアクティブノイズリダクションヘッドセットのノイズリダクションチップに送信し、それによってアクティブノイズリダクションヘッドセットのノイズリダクションチップは、第２の電圧の信号を取得してノイズリダクション機能を実施する。従来技術と比較すると、アクティブノイズリダクションヘッドセットに接続されている端末は、アクティブノイズリダクションヘッドセットに電力を供給することができ、それによってアクティブノイズリダクションヘッドセットのノイズリダクションチップは、ノイズリダクション機能を実施し、これは、アクティブノイズリダクションヘッドセットの電力供給オペレーションが高度に複雑であるという問題を効果的に解決することができる。
【０１３０】
便利で簡単な説明の目的で、前述のシステム、装置、及びユニットの詳細な機能プロセスに関しては、前述の方法実施形態における対応するプロセスに対して参照が行われることが可能であるということが当業者によって明確に理解されることが可能であり、ここで再び詳細が説明されることはない。
【０１３１】
本出願において提供されているいくつかの実施形態においては、開示されているシステム、装置、及び方法がその他の様式で実施されることが可能であるということを理解されたい。たとえば、説明されている装置実施形態は、例示的なものにすぎない。たとえば、ユニットの区分は、論理的な機能区分にすぎず、実際の実施においてはその他の区分であってもよい。たとえば、複数のユニット若しくはコンポーネントが別のシステムに組み合わされること若しくは統合されることが可能であるか、又はいくつかの機能が無視されること若しくは実行されないことが可能である。加えて、表示されているか又は論じられている相互の結合又は直接の結合又は通信接続は、いくつかのインターフェースを通じて実施されることが可能である。装置又はユニットの間における間接的な結合又は通信接続は、電子的な形態、機械的な形態、又はその他の形態で実施されることが可能である。
【０１３２】
別々の部分として説明されているユニットは、物理的に別々であること、又は物理的に別々ではないことが可能であり、ユニットとして表示されている部分は、物理的なユニットであること、又は物理的なユニットではないことが可能であり、１つの位置に配置されることが可能であるか、又は複数のネットワークユニット上に分散されることが可能である。ユニットのうちのいくつか又はすべては、実施形態の解決法の目的を達成するために実際のニーズに従って選択されることが可能である。
【０１３３】
加えて、本発明の実施形態における機能ユニットは、１つの処理ユニットに統合されることが可能であるか、又はそれらのユニットのそれぞれは、物理的に単独で存在することが可能であるか、又は２つ若しくはそれより多いユニットは、１つのユニットに統合される。統合されたユニットは、ハードウェアの形態で実装されることが可能であるか、又はソフトウェア機能ユニットに加えてハードウェアの形態で実装されることが可能である。
【０１３４】
方法実施形態のステップのうちのすべて又はいくつかは、関連するハードウェアに命令するプログラムによって実施されることが可能であるということを当技術分野における標準的な技術者なら理解することができる。プログラムは、コンピュータ読み取り可能な記憶媒体に格納されることが可能である。プログラムが作動したときに、方法実施形態のステップが実行される。前述の記憶媒体は、プログラムコードを格納することができる任意の媒体、たとえば、ＲＯＭ、ＲＡＭ、磁気ディスク、又は光ディスクを含む。
【０１３５】
前述の説明は、本発明の特定の実施様式にすぎず、本発明の保護範囲を限定することを意図されているものではない。本発明において開示されている技術的な範囲内で当業者によって容易に考え出されるいかなる変形物又は代替物も、本発明の保護範囲に含まれるものとする。したがって、本発明の保護範囲は、特許請求の範囲の保護範囲に従うものとする。
【図１】
0006353979.tif 000002
【図２】
0006353979.tif 000003
【図３】
0006353979.tif 000004
【図４−ａ】
0006353979.tif 000005
【図４−ｂ】
0006353979.tif 000006
【図５】
0006353979.tif 000007
【図６】
0006353979.tif 000008
【図７】
0006353979.tif 000009
【図８】
0006353979.tif 000010
【図９】
0006353979.tif 000011
【図１０】
0006353979.tif 000012
【図１１】
0006353979.tif 000013
【図１２】
0006353979.tif 000014
【図１３】
0006353979.tif 000015
【図１４】
0006353979.tif 000016